(57)【特許請求の範囲】
【請求項１】
少なくとも身体の上半身を仰向けに支承し得る本体の上部に、身体の背部を支承してこの身体背部を左右に傾斜せず略水平状態で支承し得る支承面部を設けると共に、この支承面部は本体上に支承した身体上半身の長さ方向に長さを有するように構成し、この支承面部は、前記本体上に支承した身体背部の脊柱を境にした左右部に並設状態に設けて、この左右に並設する支承面部間に間隙部を介在するように構成し、この左右の支承面部間の間隙部に脊柱を添わせて本体上に身体背部を略水平状態で支承し得るように構成し、この支承面部は、この支承面部の長さ方向のいずれか一方に向けて傾斜せしめ、この最も傾斜上方側に位置する支承面部の側方に略直角に下降する前記落ち込み部を設けて、前記支承面部の前記落ち込み部側に頭部が位置するようにして前記本体に身体を支承し、この支承面部上を落ち込み部側へと身体背部を滑らせて落ち込み部から背部を自重落下させると、最も落ち込み部側に位置する支承面部に胸椎背部並びに腰椎並びに骨盤が略水平状態を保持したまま強く押し当てられて胸椎並びに腰椎並びに骨盤のねじれ矯正や歪み矯正がなされるように構成し、前記本体の外側左右部に、身体背部を横ずれしにくいように保持する保持縁部を上方へ向けて突設したことを特徴とする姿勢矯正器具。
【請求項２】
前記落ち込み部の反対側となる前記本体の底部に、身体の下半身を支承する敷板部を設け、この敷板部の上部に足の踵部を係止し得る踵係止部を設けて、この踵係止部に踵を係止して足の力で身体背部を前記本体の傾斜上方側へと滑動することができるように構成すると共に、この踵係止部は、この踵係止部に踵を係止して足を伸ばした際に、少なくとも身体を弓なりに反らせて前記落ち込み部から頭部を落とせる位置に設けたことを特徴とする請求項１記載の姿勢矯正器具。
【発明の詳細な説明】
【０００１】
【発明の属する技術分野】
本発明は、身体のねじれを矯正する姿勢矯正器具に関するものである。
【０００２】
【従来の技術及び発明が解決しようとする課題】
一般に人の身体は、生活習慣やその他の多くの要因によって所謂回旋と称されるねじれ（歪み）を生じていることが多く、このような身体の歪みは様々な病気の原因になると言われている。
【０００３】
このような症状を改善するために、従来から色々な矯正器具が提案されているが、本発明では、簡易な動作を行うことで極めて秀れた身体のねじれ矯正効果が得られる画期的な姿勢矯正器具を提供するものである。
【０００４】
【課題を解決するための手段】
添付図面を参照して本発明の要旨を説明する。
【０００５】
少なくとも身体１の上半身を仰向けに支承し得る本体２の上部に、身体１の背部を支承してこの身体１背部を左右に傾斜せず略水平状態で支承し得る支承面部３を設けると共に、この支承面部３は本体２上に支承した身体１上半身の長さ方向に長さを有するように構成し、この支承面部３は、前記本体２上に支承した身体１背部の脊柱12を境にした左右部に並設状態に設けて、この左右に並設する支承面部３間に間隙部５を介在するように構成し、この左右の支承面部３間の間隙部５に脊柱12を添わせて本体２上に身体１背部を略水平状態で支承し得るように構成し、この支承面部３は、この支承面部３の長さ方向のいずれか一方に向けて傾斜せしめ、この最も傾斜上方側に位置する支承面部３の側方に略直角に下降する前記落ち込み部４を設けて、前記支承面部３の前記落ち込み部４側に頭部が位置するようにして前記本体２に身体１を支承し、この支承面部３上を落ち込み部４側へと身体１背部を滑らせて落ち込み部４から背部を自重落下させると、最も落ち込み部４側に位置する支承面部３に胸椎背部並びに腰椎並びに骨盤が略水平状態を保持したまま強く押し当てられて胸椎並びに腰椎並びに骨盤のねじれ矯正や歪み矯正がなされるように構成し、前記本体２の外側左右部に、身体１背部を横ずれしにくいように保持する保持縁部８を上方へ向けて突設したことを特徴とする姿勢矯正器具に係るものである。
【０００６】
また、前記落ち込み部４の反対側となる前記本体２の底部に、身体１の下半身を支承する敷板部６を設け、この敷板部６の上部に足の踵部を係止し得る踵係止部７を設けて、この踵係止部７に踵を係止して足の力で身体１背部を前記本体２の傾斜上方側へと滑動することができるように構成すると共に、この踵係止部７は、この踵係止部７に踵を係止して足を伸ばした際に、少なくとも身体１を弓なりに反らせて前記落ち込み部４から頭部を落とせる位置に設けたことを特徴とする請求項１記載の姿勢矯正器具に係るものである。
【０００７】
【発明の実施の形態】
好適と考える本発明の実施の形態（発明をどのように実施するか）を、図面に基づいてその作用効果を示して簡単に説明する。
【０００８】
本体２の支承面部３上に、落ち込み部４側に頭部が位置するようにして少なくとも身体１の上半身を仰向けに支承する。
【０００９】
そして、落ち込み部４側へと身体１背部を滑らせていき、落ち込み部４から頭部が落ちることに引き続いて背部も自重落下させていくと、落ち込み部４から落下した部分の重力が下方へ強く作用することでこの落ち込み部４の手前にある支承面部３に胸椎背部が左右に傾斜しない略水平状態に支承されたままで強く押し当てられて、ねじれている胸椎に対して正常な状態に戻るように回転運動を与えることになり、これによって胸椎に対するねじれ矯正がなされることになる。
【００１０】
引き続き、背部から腰部までも落ち込み部４から自重落下させていくと、同様にしてこの落ち込み部４の手前にある支承面部３に腰椎並びに骨盤が左右に傾斜しない略水平状態で押し当てられて、ねじれている腰椎並びに骨盤に対して正常な状態に戻るように回転運動を与えることになり、これにより腰椎並びに骨盤に対してもねじれ矯正がなされることとなる。
【００１１】
また、この動作を何度も繰り返し行うと、身体１の左右のねじれ矯正だけでなく、骨盤における前後のねじれに対しても矯正効果があることが確認された。
【００１２】
即ち、腸骨綾14Ａから座骨までが何度も落ち込み部４の手前にある支承面部３に強くこすり付けられることによって次第に骨盤が左右対称となるように矯正されていくことになる。
【００１３】
従って、単に本体２の支承面部３上に仰向けに寝て背部を支承し、背部を落ち込み部４側へと滑動移動させて落ち込み部４から落ち込ませるだけの簡単な操作（動作）を行うことで胸椎並びに腰椎並びに骨盤のねじれを矯正することができる極めて実用性に秀れた姿勢矯正器具となる。
【００１４】
また、例えば、前記落ち込み部４の反対側となる前記本体２の底部に、身体１の下半身を支承する敷板部６を設け、この敷板部６の上部に足の踵部を係止し得る踵係止部７を設けて、この踵係止部７に踵を係止して足の力で身体１背部を前記本体２の傾斜上方側へと滑動することができるように構成すると共に、この踵係止部７は、この踵係止部７に踵を係止して足を伸ばした際に、少なくとも身体１を弓なりに反らせて前記落ち込み部４から頭部を落とせる位置に設ければ、他人の手を借りることなく自分一人で前記矯正動作を行うことが可能となるので、一層実用的となる。
【００１５】
【実施例】
本発明の具体的な実施例について図面に基づいて説明する。
【００１６】
図１〜図７は第一実施例、図８は第二構成例、図９は第三構成例を示している。
【００１７】
第一実施例（本発明の実施例）について説明する。
【００１８】
本実施例は、身体１の上半身を仰向けに支承し得る本体２の上部に、身体１の背部を左右に傾斜せず略水平状態で支承し得る支承面部３を設けると共に、この支承面部３は本体２上に支承した身体１の上半身の長さ方向に長さを有するように構成している。
【００１９】
具体的に説明すると、本実施例の本体２は、図１に示すように、略箱型に構成している。
【００２０】
また、この本体２上面の外側左右部を上方へ突設させて、この左右の突設部を身体１背部の左右部が当接することで横ずれしにくいように保持する保持縁部８としている。
【００２１】
また、この支承面部３は、前記本体２上に支承した身体１背部の脊柱12が位置する部分を境にして左右部に並設状態に設けると共に、この左右に並設する支承面部３間に間隙部５を介在するように構成し、この左右の支承面部３間の間隙部５に脊柱12を合わせて本体２上に身体１背部を支承し得るように構成している。
【００２２】
具体的に説明すると、支承面部３の長さ方向に沿った中央部を溝状に切削してこの切削部を間隙部５としている。
【００２３】
従って、左右に並設する支承面部３間に間隙部５を介在するように構成したから、この間隙部５に脊柱12が位置することで、脊柱12には支承面部３による圧迫力を与えず、脊柱12に不要な圧迫力が加わることで脊柱12がねじれたり歪んだりすることを防止する構成としている。
【００２４】
また、左右に並設するこの支承面部３は、この支承面部３の長さ方向のいずれか一方に向けて傾斜させ、この最も傾斜上方側に位置する支承面部３の側方に急角度で下降する落ち込み部４を設けている。
【００２５】
具体的に説明すると、支承面部３は図１における手前側が低くなる傾斜面となるように構成し、この傾斜上方側の支承面部３の長さ方向の延長外側となる側方部位が略直角に下方へ落ち込む前記落ち込み部４となるように構成している。
【００２６】
また、本実施例では、最も傾斜上方側に位置している支承面部３からの前記落ち込み部４の落差を、この落ち込み部４から身体１の頭部や背部や腰部が滑落する際に重力が働き易い落差に設定して、この落ち込み部４から身体１の頭部や背部や腰部が滑落する際にかかる重力により胸椎並びに腰椎並びに骨盤が傾斜最上部の支承面部３に強く押し付けられて胸椎並びに腰椎並びに骨盤のねじれ矯正や歪み矯正がなされるように構成している。
【００２７】
具体的に説明すると、落ち込み部４は、本体２の設置面から２０ｃｍ位の落差を有するように構成している。即ち、言い換えると最も傾斜上方側の支承面部３は、設置面から２０ｃｍの高さを有するように構成している。
【００２８】
この２０ｃｍという高さは、出願人が実際に試作実験を行ってみた結果得られた最適な高さであり、これより低いと重力の作用が不十分で矯正力に劣るし、これより高いと重力が大きく作用して危険な上に本体２自体が大型化してしまうことになるなどの不都合が生じてくる。
【００２９】
即ち、この２０ｃｍという高さに設定したことにより、極めて良好な身体の矯正効果が得られることになる。
【００３０】
また、本実施例では、前記落ち込み部４の反対側となる前記本体２の底部に、身体１の下半身を支承する敷板部６を設け、この敷板部６の上部に足の踵部を係止し得る踵係止部７を設けて、この踵係止部７に踵を係止して足の力で身体１背部を前記本体２の傾斜上方側へと滑動することができるように構成している。
【００３１】
具体的に説明すると、本実施例では、本体２と略同じ位の大きさの長方形板材を前記敷板部６とし、この敷板部６を本体２の底部に着脱自在に装着し得るように構成している。
【００３２】
また、この敷板部６の上面には、横棒を複数付設してこの横棒を前記踵係止部７としている。
【００３３】
また、この敷板部６と本体２底部との着脱構造について説明すると、本実施例では、敷板部６と本体２とを位置決め状態で装着可能な位置決め手段10を介して装着し得るように構成している。
【００３４】
位置決め手段10について説明すると、前記本体２の底部に切欠係止窓10Ａを本体２の長さ方向に複数形成し、この切欠係止窓10Ａを前記踵係止部７に係止することで敷板部６を本体２に対して位置決め状態で装着し得るように構成している。即ち、踵係止部７は、文字通り踵を係止する機能と、本体２に対して係止する機能との二つの機能を持ち合わせた構成としているものである。
【００３５】
また、この踵係止部７と切欠係止窓10Ａとはいずれも複数形成しているために、使用者の身長などに応じて本体２に対する敷板部６の突設位置を変更可能であり、更に不使用時には本体２の真下に敷板部６が納まるようにして装着することもでき、これにより収納スペースを省スペース化できるように構成している。
【００３６】
また、本実施例の踵係止部７は、この踵係止部７に踵を係止して足を伸ばした際に、少なくとも身体１を弓なりに反らせて前記落ち込み部４から頭部を落とすことができるようになる位置に設けている。
【００３７】
次に、本実施例の姿勢矯正器具の具体的な使用方法を説明する。
【００３８】
図１に示すように、設置面に敷設した敷板部６の所望の踵係止部７に、本体２底部の切欠係止窓10Ａを係止することで本体２をセットする。
【００３９】
先ず、図２に示すように下半身を敷板部６に載せ、踵係止部７に踵を係止して膝を曲げ、上半身を前記支承面部３の前記落ち込み部４側に頭部が位置するようにして仰向けに寝ると共に、左右の支承面部３間の間隙部５に脊柱12を位置させる。
【００４０】
次いで、例えば両手を胸の上で交差させ、膝を伸ばすことで、この本体２の傾斜上方側へと身体１背部を滑らせていき（図３参照）、更に、踵を係止させる踵係止部７をより本体２に近い位置のものに変えたりしながら背部を滑らせ、落ち込み部４から頭部が落ちることに引き続いて背部も自重落下させていくと（図４参照）、落ち込み部４から落下する部位には重力が下方へ強く作用し、この落ち込み部４の手前にある傾斜最上部の前記支承面部３に胸椎背部が略水平状態に支承されたままで強く押し当てられて、ねじれている胸椎に対して正常な状態に戻るように回転運動を与えることになり、これにより胸椎に対してねじれ矯正がなされることになる（図５参照）。
【００４１】
引き続き、背部から腰部までも落ち込み部４から自重落下させていくと、同様にしてこの落ち込み部４の手前にある支承面部３に腰椎並びに骨盤が略水平状態で押し当てられて、ねじれている腰椎並びに骨盤に対して正常な状態に戻るように回転運動を与えることになり、これにより腰椎並びに骨盤に対してもねじれ矯正がなされることとなる。
【００４２】
また、この動作を何度も繰り返し行うと、左右のねじれ矯正だけでなく、骨盤における前後のねじれに対しても矯正効果があることが確認された。
【００４３】
ここで、骨盤における前後のねじれについて説明すると、例えば、腸骨14上部が後方変位（ねじれ）することで、図６に示すように腸骨綾14Ａがヤコビ氏線（正常な状態での腸骨綾14Ａの最上部の高さを示す仮線）より高くなり、これによって大腿骨は引き上げられて足全体が短くなる。逆に腸骨14上部が前方変位（ねじれ）することで、足全体は長くなる。
【００４４】
このように前後にねじれを生じた骨盤も本実施例の矯正器具を用いて上記したような動作を何度も繰り返していると、腸骨綾14Ａから座骨までが何度も落ち込み部４の手前にある支承面部３に強くこすり付けられることによって次第に骨盤が左右対称となるように矯正されていくことになるのである。
【００４５】
従って、単に本体２の支承面部３上に上半身を仰向けに支承して、背部を落ち込み部４側へと滑動移動させて落ち込み部４から落ち込ませるだけの簡単な操作（動作）を行うことで胸椎並びに腰椎並びに骨盤のねじれを矯正することができる極めて実用性に秀れた姿勢矯正器具となる。
【００４６】
また、連続してこの動作を行う場合、背部が設置面に滑り落ちた状態で両手を前記切欠係止窓10Ａに入れてつかまりながら肘と膝を曲げて元の位置に戻るようにすると良い。即ち切欠係止窓10Ａは、この際の手かけ部としての機能も兼ね備えた構成としている。
【００４７】
尚、図７は、本実施例の別使用例として本体２を逆向きにして使用した場合を示している。
【００４８】
具体的に説明すると、先ず、落ち込み部４に腰を当てるようにして膝を曲げて敷板部６上に座り、踵を踵係止部７に係止すると共に手は前記本体２の外側の基板材２Ａ・２Ｃの適所を掴む。
【００４９】
次いで、膝を伸ばして胸を反るようにし、腰椎から座骨にかけてを落ち込み部４に押し付けるようにして身体を動かす。
【００５０】
この使用方法によると、腰椎から座骨にかけてを重点的に矯正することができ、この際、腸骨綾14Ａから座骨にかけてを何度も落ち込み部４に強くこすり付けることが容易に行われるので、骨盤の前後方向への歪み（ねじれ）に対して非常に矯正効果が高い。
【００５１】
第二構成例について説明する。
【００５２】
本構成例は、身体１の上半身を仰向けに支承し得る本体２の上部に、身体１の背部を左右に傾斜せず略水平状態で支承し得る支承面部３としての支承ローラ13を回転自在に設けると共に、この支承ローラ13は本体２上に支承した身体１背部の脊柱12の長さ方向に複数並設状態に設けて、この支承ローラ13の回転作動によりこの支承ローラ13上に支承した身体１背部を上半身の長さ方向に滑動し得るように構成した場合である。
【００５３】
具体的に説明すると、本構成例の本体２は、図８に示すように、長さのある三枚の基板材２Ａ・２Ｂ・２Ｃを縦にした上で間隔を置いて略平行に並べると共に、この各基板材２Ａ・２Ｂ・２Ｃ間に配した継板材２Ｄにより各基板材２Ａ・２Ｂ・２Ｃを継合して成る構成としている。即ち、各基板材２Ａ・２Ｂ・２Ｃの並設方向と直交する方向に長さを有する本体２に構成している。
【００５４】
また、この本体２の外側二枚（左右）の基板材２Ａ・２Ｃの上縁部は、身体１背部の左右部が当接することで横ずれしにくいように保持する保持縁部８としている。
【００５５】
本構成例では、この本体２の外側左右の基板材２Ａ・２Ｃ間に、支軸９を略水平に架設すると共に、この支軸９は本体２の長さ方向に所定間隔を置いて複数設け、この複数の支軸９夫々に前記支承ローラ13を回転自在に設けている。即ち、本体２上部の略全域にわたって支承ローラ13を並設状態に設けた場合を示している。
【００５６】
具体的に説明すると、外側左右の基板材２Ａ・２Ｃに挟まれた中央の基板材２Ｂは、外側左右の基板材２Ａ・２Ｃよりも高さを低く設定し、この中央の基板材２Ｂよりも上方へ突出している外側左右の基板材２Ａ・２Ｃ間の上部内側面間に前記支軸９を略水平状態に架設してこの支軸９の中間部を中央の基板材２Ｂ上縁部に当接するように設けている。
【００５７】
また、この支承ローラ13は、前記本体２上に支承した身体１背部の脊柱12が位置する部分を境にして左右部に並設状態に設けると共に、この左右に並設する支承ローラ13間に間隙部５を介在するように構成し、この左右の支承ローラ13間の間隙部５に脊柱12を合わせて本体２上に身体１背部を支承し得るように構成している。
【００５８】
具体的に説明すると、本体２の前記中央の基板材２Ｂを境にして左右部に支承ローラ13を設けて、二列構成としている。即ち、一つの支軸９に対して支承ローラ13を左右二個ずつ軸支している。
【００５９】
従って、左右に並設する支承ローラ13間に間隙部５を介在するように構成したから、この間隙部５に脊柱12が位置することで、脊柱12には支承ローラ13による圧迫力を与えず、脊柱12に不要な圧迫力が加わることで脊柱12がねじれたり歪んだりすることを防止する構成としている。
【００６０】
また、本構成例の支承ローラ13は、丸棒状に構成し、この丸棒状の支承ローラ13の中心部に前記支軸９を貫通状態で軸支することで、支承ローラ13の周面が略水平状態となり、この支承ローラ13上に身体１背部を略水平状態で支承し得るように構成している。
【００６１】
尚、その他の構成は前記第一実施例と同様である。
【００６２】
第三構成例について説明する。
【００６３】
本構成例は、前記第二構成例において、前記支承ローラ13の並設数を少なくした場合である。
【００６４】
具体的に説明すると、本体２の傾斜上方側となる一端部から他端部に向けて三箇所だけ支承ローラ13を並設した場合を示している。
【００６５】
また、この支承ローラ13のない部位の本体２上部には、四枚の板状支承部材11をこの本体２の長さ方向に沿って且つ間隔を置いて略平行に配設固定し、中央に位置するこの二枚の板状支承部材11間の間隙に脊柱12を沿わせることができるように構成している。
【００６６】
従って、本構成例によると、支承ローラ13の数が少ないために支承した身体１背部の滑動作用は第二構成例よりも劣るものの、支承ローラ13の数が少ない分部品コスト安となり、安価な製品とできることになる。
【００６７】
尚、本発明は、本実施例に限られるものではなく、各構成要件の具体的構成は適宜設計し得るものである。
【００６８】
【発明の効果】
本発明は上述のように構成したから、単に本体の支承面部上に上半身を仰向けに支承して、背部を落ち込み部側へと滑動移動させて落ち込み部から落ち込ませるだけの簡単な操作（動作）を行うことで胸椎並びに腰椎並びに骨盤のねじれを矯正することができる極めて実用性に秀れた画期的な姿勢矯正器具となる。
【００６９】
しかも本発明においては、本体の左右側部の保持縁部により身体背部が横ずれしにくいように保持される上、左右に並設する支承面部間に間隙部を介在するように構成したから、この間隙部に脊柱が位置することで、脊柱には支承面部による圧迫力を与えず、脊柱に不要な圧迫力が加わることで脊柱がねじれたり歪んだりすることを防止できる一層実用性に秀れた姿勢矯正器具となる。
【００７０】
また、請求項２記載の発明においては、他人の手を借りることなく自分一人だけで前記矯正動作を行うことが可能となる一層実用性に秀れた姿勢矯正器具となる。
【図面の簡単な説明】
【図１】  第一実施例を示す斜視図である。
【図２】  第一実施例の使用状態における上半身を本体上に支承し、下半身を敷板部にのせて踵を踵係止部に係止した状態を示す説明図である。
【図３】  図２の状態から膝を伸ばしていって身体を弓なりに反らせた状態を示す説明図である。
【図４】  図３の状態から背部を更に滑らせて落ち込み部から頭部を落とした状態を示す説明図である。
【図５】  身体のねじれが矯正される様子を簡単に示した説明図である。
【図６】  骨盤の前後のねじれが矯正される様子を簡単に示した説明図である。
【図７】  第一実施例の別使用状態を示す説明図である。
【図８】  第二構成例を示す斜視図である。
【図９】  第三構成例を示す斜視図である。
【符号の説明】
１  身体
２  本体
３  支承面部
４  落ち込み部
５  間隙部
６  敷板部
７  踵係止部
８ 保持縁部
12  脊柱
【図１】
0003737752.tif 000002
【図２】
0003737752.tif 000003
【図３】
0003737752.tif 000004
【図４】
0003737752.tif 000005
【図５】
0003737752.tif 000006
【図６】
0003737752.tif 000007
【図７】
0003737752.tif 000008
【図８】
0003737752.tif 000009
【図９】
0003737752.tif 000010